(57)【要約】【課題】一人の作業者で簡単に操作でき、かつ仮設ゴンドラを高速で操作できるゴンドラ操作盤を提供する。【解決手段】仮設ゴンドラを操作するゴンドラ操作盤において、単独に左モータを、単独に右モータを、左右のモータを同時に選択するためのカムスイッチと、上昇スイッチと下降スイッチを有するホイストスイッチを設ける。そして、カムスイッチとホイストスイッチの操作の組み合わせにより、単独に左モータの上昇または下降動作を、単独に右モータの上昇または下降動作を、同時に左右のモータの上昇または下降動作を行う。【選択図】  図１
2006062787.tif 000002
【特許請求の範囲】
【請求項１】
仮設ゴンドラを操作するゴンドラ操作盤において、
単独に左モータを、単独に右モータを、左右のモータを同時に選択するためのカムスイッチと、
上昇スイッチと下降スイッチを有するホイストスイッチを有し、
前記カムスイッチと前記ホイストスイッチの操作の組み合わせにより、単独に左モータの上昇または下降動作を、単独に右モータの上昇または下降動作を、同時に左右のモータの上昇または下降動作を行うことを特徴とするゴンドラ操作盤。
【請求項２】
請求項１記載のゴンドラ操作盤において、５０／６０Ｈｚの１００Ｖの電源を３相２００Ｖに変換するインバータを通してモータに給電することを特徴とするゴンドラ操作盤。
【請求項３】
請求項２記載のゴンドラ操作盤において、インバータを冷却するファンをさらに有することを特徴とするゴンドラ操作盤。
【発明の詳細な説明】
【技術分野】
【０００１】
本発明は、仮設ゴンドラ用操作盤に関する。
【背景技術】
【０００２】
仮設ゴンドラは、例えば、作業員が載り高層ビルの外壁の清掃等の作業のために、高層ビルの外壁に沿って昇降するものである。昇降は、仮設ゴンドラの両側に配置されたロープを駆動するそれぞれのモータの回転方向の向きを変えることによって選択的に行っている。モータの回転方向の向きは、２つのゴンドラ操作盤に設けられたそれぞれの上昇スイッチ、下降スイッチを操作することによって行っている。また、現在使用されているモータは５０または６０Ｈｚの単相１００Ｖで駆動されるものである。
【０００３】
図４は、従来例のゴンドラ操作盤の構成を示す概略図である。図４において、左右のモータ１４、１６のそれぞれを操作するために、２つのホイストスイッチ１２、２２が用いられている。例えば、左モータ１４を上昇させるには、ホイストスイッチ１２の押しボタンスイッチ１２ａを押し続け、左モータ１４を下降させるには、ホイストスイッチ１２の押しボタンスイッチ１２ｂを押し続け、一方、右モータ２４を上昇させるには、ホイストスイッチ２２の押しボタンスイッチ２２ａを押し続け、右モータ２４を下降させるには、ホイストスイッチ２２の押しボタンスイッチ２２ｂを押し続ける。なお、図中、１６は１００Ｖ電源コネクタを示し、１８は非常停止スイッチを示し、２０はパイロットランプを示す。
【０００４】
図５は、従来例のモータの駆動回路を示す概略図である。図５では特に本発明と関連のない回路部分の多くは省略されている。図５において、５０または６０Ｈｚの電源１００Ｖがゴンドラ操作盤の操作により左右のモータに供給されるようになっている。また、作業灯の点灯のためにも１００Ｖが供給される。
【０００５】
今、例えば、仮設ゴンドラの左側のロープにより仮設ゴンドラの左側を上昇させようとする場合には、ゴンドラ操作盤１２のスイッチ１２ａを押し続けると、左モータ制御回路２８のＵＰと表示する３つの連動用接点が閉じられたままになり、左モータ１４が所定の方向に回転させられ、ロープに沿って仮設ゴンドラの左側が上昇する。
【０００６】
仮設ゴンドラの左側のロープにより仮設ゴンドラの左側を下降させようとする場合には、ゴンドラ操作盤１２のスイッチ１２ｂを押し続けると、左モータ制御回路２８のＤＯＷＮと表示する３つの連動用接点が閉じられたままになり、左モータ１４が上昇とは反対方向に回転させられ、ロープに沿って仮設ゴンドラの左側が下降する。
【０００７】
同様に、仮設ゴンドラの右側の昇降も、ゴンドラ操作盤２２の操作により右モータ制御回路２６のＵＰまたはＤＯＷＮと表示する接点を選択的に閉じることにより行うことができる。
【発明の開示】
【発明が解決しようとする課題】
【０００８】
仮設ゴンドラを操作する従来のゴンドラ操作盤によると、ビルに、看板、ひさし等の出っ張りとなる障害物があるので、作業性が良くなく、通常、左右のゴンドラ操作盤は２人の作業者によって操作される。また現状のゴンドラ操作盤で使用されているコンデンサの生産が中止されているので、同一のゴンドラ操作盤の製作には多額の金額が必要となる。モータは５０または６０Ｈｚの単相１００Ｖで駆動されるものであるので、仮設ゴンドラの昇降は極めて緩慢なものである。
【０００９】
したがって、本発明の目的は、一人の作業者で簡単に操作でき、かつ仮設ゴンドラを高速で操作できるゴンドラ操作盤を提供することにある。
【課題を解決するための手段】
【００１０】
本発明は、仮設ゴンドラを操作するゴンドラ操作盤において、単独に左モータを、単独に右モータを、左右のモータを同時に選択するためのカムスイッチと、上昇スイッチと下降スイッチを有するホイストスイッチを有し、前記カムスイッチと前記ホイストスイッチの操作の組み合わせにより、単独に左モータの上昇または下降動作を、単独に右モータの上昇または下降動作を、同時に左右のモータの上昇または下降動作を行うことを特徴とする。
【発明の効果】
【００１１】
本発明によると、一人の作業者で簡単に操作でき、かつ仮設ゴンドラを高速で操作できるゴンドラ操作盤が得られる。
【発明を実施するための最良の形態】
【００１２】
本発明では、仮設ゴンドラを操作するゴンドラ操作盤において、単独に左モータを、単独に右モータを、左右のモータを同時に選択するためのカムスイッチと、上昇スイッチと下降スイッチを有するホイストスイッチを有し、前記カムスイッチと前記ホイストスイッチの操作の組み合わせにより、単独に左モータの上昇または下降動作を、単独に右モータの上昇または下降動作を、同時に左右のモータの上昇または下降動作を行う。
【実施例】
【００１３】
次に、本発明の実施例を説明する。図１は本発明の実施例のゴンドラ操作盤を示す図であり、図１ａは平面図、図１ｂは側面図である。
【００１４】
図１において、ゴンドラ操作盤３０には、ホイストスイッチ３２が設けられており、そのうちの３２ａは上昇用であり、３２ｂは下降用である。また、単独に左側のモータ、同時に左右のモータ、単独に右側のモータを選択するための３つの接点を持つカムスイッチ４２が上面に設けられている。なお、図中、３６は電源コネクタを示し、３８は非常停止ボタンを示し、４０はパイロットランプを示し、４４は上昇制限用リミットスイッチを示し、４６は３Ｐレセプタを示す。これらは本発明の構成とは無関係であるので、詳細な説明は省略する。
【００１５】
図２は本発明の実施例のモータの駆動回路を示す図である。図２において、電源（１００Ｖ、５０／６０Ｈｚ）からインバータ（２相１００Ｖを３相２００Ｖに変換する）５４、５６を通して、左右のモータ５０、５２に３相２００Ｖが供給されるようになっている。作業灯への１００Ｖの給電を利用して、ファン５８に給電を行い、インバータ５４、５６に送風し、６０°Ｃを超えると誤作動を起こす恐れのあるインバータ５４．５６を冷却している。
【００１６】
図３はインバータへのゴンドラ操作盤からの操作を説明するための図である。図３において、今、仮設ゴンドラの左側を上昇させようとするとき、カムスイッチ４２を操作して左モータの接点を閉じ、かつホイストスイッチ３２の上昇用スイッチ３２ａを押し続けることにより、ＵＸで表示する接点を閉じたままにする。これにより、左モータが上昇方向に回転する。
【００１７】
また、同時に左右のモータにより仮設ゴンドラの両側を同時に上昇させるときには、カムスイッチ４２を操作して左モータの接点および右モータの接点を同時に閉じ、かつホイストスイッチ３２の上昇用スイッチ３２ａを押し続けることにより、ＵＸで表示する接点を閉じたままにする。これにより、左右のモータが上昇方向に回転する。
【００１８】
同様に、カムスイッチの操作およびホイストスイッチの操作により、単独に、左モータ、または右モータの昇降用の駆動や、左右モータの同時の昇降用駆動を行うことができる。
【図面の簡単な説明】
【００１９】
【図１】本発明の実施例のゴンドラ操作盤を示す図であり、図１ａは平面図、図１ｂは側面図である。
【図２】本発明の実施例のモータの駆動回路を示す図である。
【図３】インバータへのゴンドラ操作盤からの操作を説明するための図である。
【図４】従来例のゴンドラ操作盤の構成を示す概略図である。
【図５】従来例のモータの駆動回路を示す概略図である。
【符号の説明】
【００２０】
３０  ゴンドラ操作盤
３２  ホイストスイッチ
４２  カムスイッチ
５０、５２  モータ
５８  ファン
【図１】
2006062787.tif 000003
【図２】
2006062787.tif 000004
【図３】
2006062787.tif 000005
【図４】
2006062787.tif 000006
【図５】
2006062787.tif 000007